(57)【要約】【課題】  天井面と天井裏壁面との間に吊り下げ設置された外郭筐体に化粧パネルを仮止めする作業を単独で容易に行えるとともに、安全性を向上させた天井埋込形空気調和機を提供することを目的とする。【解決手段】  化粧パネル２を外郭筐体１に装着する際、係止部材取付片９ａから吊り下げられた係止部材１２に、化粧パネル２に形成された固定部１３を掛合させ、化粧パネル２を天井面４１近傍に仮止め状態とする一方、固定部１３の基端部に係止部材１２が自動的に位置し、螺子挿通孔１３ａと螺子孔９ｂの位置合わせが自動的に行われることにより、化粧パネル２の装着作業を単独で行っても容易に作業を遂行することができる。また、係止部材１２に前記固定部１３を掛合させることにより化粧パネル２の落下等の虞を防止して安全性の向上した天井埋込形空気調和機とすることができるようになっている【選択図】図５
2009058154.tif 000002
【特許請求の範囲】
【請求項１】
送風ファン及び熱交換器を内部に配設し、天井面と天井裏壁面との間に吊り下げ設置される外郭筐体と、同外郭筐体の下面に装着され、天井面を覆う化粧パネルとでなる天井埋込形空気調和機において、
前記外郭筐体の下面に複数の仮止め部材を設け、前記化粧パネルに同化粧パネルと前記外郭筐体とを固定するとともに、前記仮止め部材に掛合する固定部を設けてなることを特徴とする天井埋込形空気調和機。
【請求項２】
前記仮止め部材が、前記外郭筐体下部に設けられた係止部材取付片と、同係止部材取付片から吊り下げられた係止部材とからなることを特徴とする請求項１に記載の天井埋込形空気調和機。
【請求項３】
前記固定部が、前記化粧パネルの空間部を形成する壁面から水平状に突設される一方、同固定部の下面が、先端部から基端部に向かい上昇する傾斜面に形成されてなることを特徴とする請求項１に記載の天井埋込形空気調和機。
【発明の詳細な説明】
【技術分野】
【０００１】
本発明は、天井埋込形空気調和機に関わり、より詳細には、吸込グリルを備えた化粧パネルを本体に装着する構成に関する。
【背景技術】
【０００２】
従来の天井埋込形空気調和機も、本願による天井埋込形空気調和機と基本的構成は同一なので図１を用いて説明する。図１で示す天井埋込形空気調和機は、天井面４１と天井裏壁面４０との間に吊り下げ設置された外郭筐体１と、同外郭筐体１に装着され、中央部に開閉自在な吸込グリル４を備えた化粧パネル２とで構成されている。化粧パネル２は室内の天井面４１を覆うとともに、四囲に風向偏向板５ａを備えた吹出口５を形成している。前記吸込グリル４と前記吹出口５とを結ぶ空気流路には、ファンモータ７により駆動される遠心ファン６と、同遠心ファン６を囲繞するように熱交換器８が配設されており、前記吸込グリル４から吸込まれた室内の空気は前記遠心ファン６により前記熱交換器８に送出され、これを通過して熱交換された後、前記吹出口５から再び室内に送出されるようになっている。
【０００３】
天井埋込形空気調和機を室内に据付ける際は、まず前記遠心ファン６及び熱交換器８を内部に配設した前記外郭筐体１を、同外郭筐体１の側面に備えられた取付金具９を天井裏壁面４０に埋め込まれた吊下げボルト１０に固定することにより天井面４１内に吊り下げ設置し、次に、前記化粧パネル２を下方から引き上げて螺子止めにより前記外郭筐体１に装着するようになっている。
【０００４】
次に、従来の化粧パネルの装着手順を図６を用い、符号を換えて説明する。図６で示す化粧パネル５０は、角部近傍に、下面が開放されたボックス状の螺子止め部５０ａを形成しており、その上面にはダルマ状に形成されたネジ挿通孔５０ｂが設けられている。尚、同螺子止め部５０ａが形成された区画は、図示しない、目隠し用のカバーが下面に着脱自在に装着されるようになっている。
【０００５】
外郭筐体を天井面の上方に吊り下げ作業の後、外郭筐体の下面に螺子５１を仮止めする。次に、化粧パネル５０を天井面に押し上げ、ダルマ状に形成されたネジ挿通孔５０ｂの広径部分に螺子５１の頭部を挿通させる。続いて、化粧パネル５０を回転させ、螺子５１の螺子部にネジ挿通孔５０ｂの狭径部分を一致させる。この状態で螺子５１をドライバ等で締めることにより化粧パネル５０は外郭筐体に装着されるようになっている。
【０００６】
しかしながら、取付作業を単独で行うと、重量のある化粧パネル５０を天井面近傍まで押し上げ、ネジ挿通孔５０ｂに螺子５１を挿通させながら、これを回転させることは負担が大きく、困難を伴う作業となっていた。また、作業中に化粧パネル５０が落下する虞もあり改善が求められていた。
【０００７】
他の従来例として、例えば特許文献１に開示されているように、化粧パネル両側に係止爪を設け、外郭筐体に係止爪が係合する係合部を設けて、化粧パネルを外郭筐体に仮止めし、この状態で螺子止作業を行う方法がある。しかしながら、化粧パネルを押し上げながら係止爪を係合部に係合させる作業を単独で行うことは、やはり困難を伴う作業となっていた。
【特許文献１】特開平７−２０８７５９号（３頁、図３）
【発明の開示】
【発明が解決しようとする課題】
【０００８】
本発明は、上記問題点に鑑み、天井面の上方に吊り下げ設置された外郭筐体に化粧パネルを仮止めする作業を作業者が単独で容易に行えるとともに、安全性を向上させた天井埋込形空気調和機を提供することを目的とする。
【課題を解決するための手段】
【０００９】
本発明は、上記課題を解決するため、送風ファン及び熱交換器を内部に配設し、天井面と天井裏壁面との間に吊り下げ設置される外郭筐体と、同外郭筐体の下面に装着され、天井面を覆う化粧パネルとでなる天井埋込形空気調和機において、前記外郭筐体の下面に複数の仮止め部材を設け、前記化粧パネルに同化粧パネルと前記外郭筐体とを固定するとともに、前記仮止め部材に掛合する固定部を設けてなる構成となっている。また、前記仮止め部材が、前記外郭筐体下部に設けられた係止部材取付片と、同係止部材取付片から吊り下げられた係止部材とからなる構成となっている。また、前記固定部が、前記化粧パネルの空間部を形成する壁面から水平状に突設される一方、同固定部の下面が、先端部から基端部に向かい上昇する傾斜面に形成されてなる構成となっている。
【発明の効果】
【００１０】
本発明によると、化粧パネルを下方から外郭筐体に装着する際、外郭筐体の係止部材取付片から吊り下げられた係止部材に、化粧パネルに形成された螺子止め部を掛合させ、化粧パネルを天井面近傍に仮止め状態とする一方、前記螺子止め部の下面が傾斜面に形成されていることにより、螺子止め部の基端部に係止部材が自動的に位置し、化粧パネルの螺子挿通孔と外郭筐体の螺子孔の位置合わせが自動的に行われ、化粧パネルの装着作業を作業者が単独で行っても容易に作業を遂行することができるようになっている。また、係止部材に前記螺子止め部を掛合させることにより化粧パネルの落下等の虞を防止して安全性の向上した天井埋込形空気調和機とすることができるようになっている。
【発明を実施するための最良の形態】
【００１１】
以下、本発明の実施の形態を、添付図面に基づいた実施例として詳細に説明する。
【実施例１】
【００１２】
図１は天井埋込形空気調和機の断面図であり、図２（Ａ）は外郭筐体を示す斜視図であり、図２（Ｂ）はその正面図である。図３は外郭筐体の要部斜視図であり、図４（Ａ）及び図４（Ｂ）は取付作業時を示す要部斜視図である。また、図５は化粧パネルの要部断面図である。
【００１３】
本発明による天井埋込形空気調和機は、図１の断面図で示すように、天井裏壁面４０に埋め込まれた複数の吊りボルト１０を、外郭筐体１の側面に複数備えられた取付金具９に螺着させることにより、天井面４１と天井裏壁面４０との間に吊り下げ設置された多角形状の外郭筐体１と、同外郭筐体１の下面にボルト１４により装着され、室内の天井面を覆う化粧パネル２とで構成されている。
【００１４】
前記化粧パネル２の中央部には矩形状の開口部が設けられ、同開口部には複数の桟からなる格子状の吸込口を形成するとともに、同吸込口の裏面に不織布等からなるフィルタ４を着脱自在に装着した吸込グリル３が、一側端縁を回動自在に軸支されることにより開閉自在に設けられている。また、前記化粧パネル２の四側周縁には、風向偏向板５ａを備えた吹出口５が複数形成されている。前記吸込グリル３と前記吹出口５とを結ぶ、矢印で示す空気流路には、ファンモータ７により回転駆動される遠心ファン６と、同遠心ファン６を囲繞するように、熱交換器８が配設されている。同熱交換器８は平行に並べられた多数のフィンと、同フィンに直交するように蛇行状に配設された伝熱管とからなっている。前記吸込グリル３から吸込まれた室内の空気は前記熱交換器８に向かい送出され、これを通過することにより熱交換されて前記吹出口５から再び室内に送出されるようになっている。
【００１５】
前記外郭筐体１は図２（Ａ）の斜視図及び図２（Ｂ）の正面図で示すように、角部が斜面となった略八角形状に形成され、角部の斜面には、コ字状に形成された取付金具９が螺着されている。また、角部一側からは前記熱交換器８に接続される配管１１が導出されており、下面には前記吹出口５に連通する複数の流出口１ａが形成されている。
【００１６】
前記取付金具９の下端部には、図３の要部斜視図で示すように、外方に突出するように前記化粧パネル２の仮止め部材となる係止部材取付片９ａが形成されている。同係止部材取付片９ａの両側には半円筒状の支持部９ｃが一対となって形成されており、同支持部９ｃには、針金材からなり、コ字状に形成された係止部材１２が、その両端部を夫々挿通させることにより回動自在に支持されて係止部材取付片９ａから吊り下げられている。また、同係止部材取付片９ａには化粧パネル２を支持する螺子１４が螺着する螺子孔９ｂが穿設されている。
【００１７】
前記化粧パネル２の角部近傍上面には、図４（Ａ）の要部斜視図で示すように、略三角形状にリブ２ａが立設され、同リブ２ａの内側は開放された空間部２ｂとなっており、その下面には後述するカバー１５が係止爪等により着脱自在となっている。前記リブ２ａの一側には下面が開放され、上面に螺子挿通孔１３ａを穿設したボックス状の固定部１３が形成され、同固定部１３の下面は、図５で示すように、先端部からリブ２ａに接続された基端部に向かい上昇する傾斜面１３ｂとなっている。尚、図示はしていないが、化粧パネル２の固定部１３及び外郭筐体１の仮止め部材となる係止部材取付片９ａの少なくとも一組は、外郭筐体１の対向する部位に形成されている。
【００１８】
次に、本願による天井埋込形空気調和機の天井面への設置手順について説明する。まず、前記遠心ファン６及び前記熱交換器８を内部に配設した前記外郭筐体１を、天井裏壁面４０に埋め込まれた複数の吊りボルト１０に、前記外郭筐体１の側面に備えられた前記取付金具９を螺着させることにより、天井面４１と天井裏壁面４０との間に吊り下げ設置する。次に、前記化粧パネル２を天井面４１に向かい押し上げ、図４（Ｂ）で示すように、一対の前記係止部材取付片９ａから吊り下げられた係止部材１２に、一対となった前記固定部１３を掛合させ、化粧パネル２を天井面４１近傍に仮止め状態とする。この際、前記固定部１３の下面は先端部から、リブ２ａに接続された基端部に向かい上昇する傾斜面１３ｂとなっていることにより、同固定部１３は化粧パネル２の自重により自動的に移動し、図５の断面図で示すように、基端部に係止部材１２が位置するようになっている。これにより前記固定部１３から前記係止部材１２が外れにくいようになっており、化粧パネル２の落下を防止して安全性を向上させるようになっている。また、固定部１３の基端部に係止部材１２が位置すると、螺子挿通孔１３ａと、前記係止部材取付片９ａに穿設された螺子孔９ｂの位置合わせが自動的に行われるようになっている。
【００１９】
前記螺子挿通孔１３ａと前記螺子孔９ｂの位置合わせが行われたら、図５で示すように、螺子１４を螺子挿通孔１３ａに挿通させるとともに、前記螺子孔９ｂに螺合させることにより前記化粧パネル２は天井面４１を覆いながら、前記外郭筐体１に堅固に装着されるようになっている。続いて、カバー１５を空間部２ｂの下面に装着することにより天井埋込形空気調和機の天井面４１への設置作業が完了するようになっている。
【００２０】
以上、説明したように、化粧パネル２を外郭筐体１に装着する際、前記係止部材取付片９ａから吊り下げられたた係止部材１２に前記固定部１３を掛合させ、化粧パネル２を天井面４１近傍に仮止め状態とする一方、固定部１３の基端部に係止部材１２が自動的に位置し、螺子挿通孔１３ａと螺子孔９ｂの位置合わせが自動的に行われることにより、化粧パネル２の装着作業を作業者が単独で行っても容易に作業を遂行することができるようになっている。また、係止部材１２に前記固定部１３を掛合させることにより化粧パネル２の落下等の虞を防止して安全性の向上した天井埋込形空気調和機とすることができるようになっている。
【図面の簡単な説明】
【００２１】
【図１】天井埋込形空気調和機の断面図である。
【図２】（Ａ）は外郭筐体を示す斜視図である。
【００２２】
（Ｂ）はその正面図である
【図３】外郭筐体の要部斜視図である。
【図４】（Ａ）及び（Ｂ）は化粧パネルの取付作業を示す要部斜視図である。
【図５】化粧パネルの要部断面図である。
【図６】従来の化粧パネルの取付を示す要部斜視図である。
【符号の説明】
【００２３】
１  外郭筐体
１ａ  流出口
２  化粧パネル
２ａ  リブ
２ｂ  空間部
３  吸込グリル
４  フィルタ
５  吹出口
５ａ  風向偏向板
６  遠心ファン
７  ファンモータ
８  熱交換器
９  取付金具
９ａ  係止部材取付片
９ｂ  螺子孔
１０  吊りボルト
１１  配管
１２  係止部材
１３  固定部
１３ａ  螺子挿通孔
１３ｂ  傾斜面
１４  螺子
１５  カバー
４０  天井裏壁面
４１  天井面
【図１】
2009058154.tif 000003
【図２】
2009058154.tif 000004
【図３】
2009058154.tif 000005
【図４】
2009058154.tif 000006
【図５】
2009058154.tif 000007
【図６】
2009058154.tif 000008